(57)【要約】【課題】磯焼に妨害されず日光を活用し昆布の種苗を成長繁殖させウニ、アワビの繁殖を助け、ウニ、アワビの漁場を蘇えさせる昆布養殖魚礁を提供する。【解決手段】長方形に形成された鉄枠（１）種苗用マニラロープネット（７）を組み合わせコンクリートブロックの吊りフック（１６）に固定しフロート（１４）を設け、海中に浮上させ昆布の育成に日光を当てる種苗用マニラロープネット（７）の育成苗床には種苗糸を結びつけて昆布種苗を繁殖させるためコンクリートブロックを海中に定着させフロート（１４）で種苗用マニラロープネット（７）を浮上させる昆布養殖魚礁である。【選択図】　　図１
2004008066.tif 000002
【特許請求の範囲】
【請求項１】
長方形に形成された鉄枠（１）の内枠四方にロープフック（２）、鉄枠（１）の四隅の上方に向いてフロートフック（３）、下方に向かいワイヤフック（４）を設ける。種苗用マニラロープ（５）を外枠用ロープ（６）を設け中央には種苗用マニラロープネット（７）と四方に鉄枠（１）に固定する固定用ロープ（８）を結びつけた後、鉄枠（１）に結びつけた種苗用マニラロープネット（７）を固定させる昆布養殖魚礁である。
【請求項２】
固定用昆布養殖魚礁に設けてある吊りフック（１６）に種苗用マニラロープネット（７）に設けた鉄枠（１）とコンクリートブロックを連結させるためのワイヤ（１２）を鉄枠（１）のワイヤフック（４）にワイヤ（１２）を結びつけ下方をコンクリートブロックに設けてある吊りフック（１６）に結びつける。ワイヤ（１２）上下の結びはワイヤクリップ（１３）で固定する。ワイヤ（１２）の中間にネズミ返し（９）を取り付ける。ネズミ返し（９）はワイヤ（１２）の中間に固定させるためのネズミ返し水平保持軸（１０）とネズミ返し固定ネジ（１１）で固定し、さらに鉄枠（１）を海中に浮上させるための鉄枠（１）の四方隅上部に取り付けてあるフロートフック（３）にフロート（１４）をフロート固定ロープ（１５）で固定する昆布養殖魚礁である。
【発明の詳細な説明】
【０００１】
【発明の属する技術分野】
本発明は基本的に磯焼現象の沿岸で現象をみる昆布林の復元、それに伴って昆布などを餌にするウニ、アワビを繁殖させるため、磯焼現象を解消することを目的として昆布種苗の繁殖をさせるための昆布養殖魚礁に関するものである。
【０００２】
【従来の技術】
従来の磯焼現象の対策としては採苗枠により昆布種苗糸をつけて海中に投入、又は吊し網でロープを浮き玉で張り種苗糸を付けて海中に下げる、又は養成網でロープを浮かせ、下に数本の種苗糸を取り付け、おもりを付けて海中に下げる方法をとっていたが、時化で沖に流される等の監視体制と将来的な管理などで頭を痛めている。平成１３年７月特許として海中に沈下させコンクリートブロックに育成床マニラテープネットを固定させるという方式による昆布養殖魚礁が発明申請出願番号特願２００１−２１３８４４で受理され、平成１３年１１月出願審査請求中であるが、申請後海中に沈下し実験を行った結果、海中では昆布などの種根は成長する前にキタムラサキウニの食害により昆布苗は成長できないことを解明した。この問題を解決するという問題が残っている。
【０００３】
【発明が解決しようとする課題】
磯焼現象が進んでいる沿岸では採苗枠を海中に投入吊し網を海中に下げる養成網をノレン式に下げ、延縄式にして海中で活用するが風によりロープの上に取り付けた浮きが移動し網ごと潮の流れで移動しないように管理しなければならない。さらに重要な問題は日光が海中に当たらないので昆布の幼苗の成長が悪い。そのため昆布の成長に伴って間引きして日光を当てるようにしているが手間がかかりすぎるのでコスト高になっている。現在の発明はすでに実験中のコンクリートブロックの上部に鉄枠（１）を取り付け、フロート（１４）により海中に浮上させる方法である。
【０００４】
【課題を解決するための手段】
本発明は磯焼現象問題をいかなる手段で解決することが出来るかその問題解決はウニ、アワビの繁殖する漁場にいかに昆布を繁殖させるかという重要な問題である。多くの文献をみると自然の昆布の成長に必要な硅素を多量に含む火成岩（酸性岩）が最も適していると思慮される。さらに問題解決に必要なものは日光である。日光をいかに成育苗に近くする発明としての出願である。コンクリートブロック上に種苗用マニラロープ（５）を取り付け浮上させることで水平近くで日光をよく当て昆布の育成を欲するという取り組みである。
【０００５】
磯焼している沿岸の漁場には胞子を生む親昆布も少ないので種苗糸を種苗用マニラロープネット（７）に巻き付けて海中海面に浮上させる。種苗用マニラロープネット（７）に密着させて昆布の種苗の定着を促進させる方法である。
【０００６】
本発明はすでに発明し、申請してある長方形に形成したコンクリートブロックに火成岩（酸性岩）を取り組み浮上安定のため重量のある魚礁のさらに下方に沓を設け海中間の岩場、砂利場でも安定し、定着性の確保を図り、海中３メートルないし、５メートルの海中に沈めるため海流などで移動することはなくなる。コンクリートブロック天井に設けてある吊りフック（１６）に鉄枠（１）に種苗用マニラロープネット（７）を鉄枠（１）の四方内側に設けているロープフック（２）に固定用ロープ（８）で結びつける。鉄枠四方面下方に取り付けてあるワイヤフック（４）にワイヤ（１２）で四隅角を連結する。ワイヤ（１２）の中間に昆布などの成育の妨害を防止するためにネズミ返し（９）を設ける。さらに鉄枠（１）の上四方面に設けてあるフロートフック（３）にフロート固定フック（１５）でフロート（１４）を固定させ種苗用マニラロープネット（７）を組み合わせた鉄枠（１）を海中海面近くに浮上させ日光がよく当たる様に考慮した昆布の種苗の育成を目的させる昆布養殖魚礁の発明である。
【０００７】
【発明の実施の形態】
長方形に形成された鉄枠（１）の内側四方に数個のロープフック（２）を取り付け、角四方の上面にはフロートフック（３）、下方にはワイヤフック（４）を設けた鉄枠（１）である。
【０００８】
鉄枠（１）には種苗用ロープネット（７）を取り付ける。種苗用ロープネット（７）は四方を外枠用ロープ（６）で外枠を囲み、四方外側には鉄枠（１）に結びつける固定用ロープ（８）を結びつける。鉄枠（１）の内側に設けたロープフック（２）に固定用ロープ（８）を結びつけ鉄枠（１）に組み立てた種苗用マニラロープネット（７）を組み立てた種苗用マニラロープネット（７）である。
【０００９】
鉄枠（１）に設けたワイヤフック（４）にワイヤ（１２）の先を丸めてワイヤクリップ（１３）で固定し、四方に下げる。さらに下方も同様に先を丸めてワイヤクリップ（１３）で固定し、魚礁コンクリートブロックの四隅に設けてある吊りフック（１６）にかけるワイヤ（１２）の中間にネズミ返し（９）を設ける。ネズミ返し（９）は中間に固定させるためのネズミ返し（９）の、下方にネズミ返し水平保持軸（１０）さらにネズミ返し固定ネジ（１１）で強く固定したワイヤ（１２）に固定したネズミ返し（９）である。鉄枠（１）の四方上部に設けてあるフロートフック（３）にフロート（１４）を四方にフロート固定ロープ（１５）で結びつけたフロートを設けた。鉄枠（１）に種苗用マニラロープネット（７）を設けて昆布苗を育成するために必要とする日光に近づく方法として鉄枠（１）の上部にフロート（１４）を取り付けて海中で水面に近く浮上させる。種苗糸を種苗用マニラロープネット（７）に結びつけて海中に投入し昆布の種苗の成長繁殖を助ける育床用の種苗用マニラロープネット（７）を取り付けた鉄枠（１）をフロート（１４）で浮上させた昆布養殖魚礁の発明である。
【００１０】
【実施例】
次に発明の実施例に基づき図面を参考にして説明する。図１は昆布養殖魚礁を整備した全体図で基礎となる。鉄枠（１）は長方形の形態の鉄枠（１）となる。鉄枠（１）の内側四方にロープフック（２）を数個設ける。鉄枠（１）は水圧に耐える強硬な鉄枠（１）である。鉄枠（１）の長方形の形態は基盤として活用する。コンクリートブロックの長方形に合わせた形態とともに長方形の形態は潮の流れに合う構造と運搬しやすい形状にした。なお、波に耐えるための構造物である。鉄枠（１）に設けたフロート（１４）は鉄枠（１）に取り付けた種苗用マニラロープネット（７）を取り付けて海中で浮上させる。海中水面に浮上させる事でウニ、アワビの飼料となる。昆布の育成を早める鉄枠（１）はコンクリートブロックの上面に設けてある吊りフック（１６）とワイヤ（１２）を連結、固定させる事で海中及び潮の流れなどで移動することもない。ワイヤ（１２）の中間に固定したネズミ返し（９）を設けることで海中内でワイヤ（１２）を登ってくるのを防ぐことができ、キタムラサキウニからの食害から守ること、さらには昆布の種苗を保護する事が出来る昆布養殖魚礁である。
【００１１】
図２、図３で示すとおり長方形の形態をした鉄枠（１）の内側四方に数個のロープフック（２）、さらに四隅は上面にフロートフック（３）、下方面にはワイヤフック（４）を設ける。
【００１２】
図４、図５は種苗用マニラロープ（５）を編み、外枠用ロープ（６）で囲み種苗用マニラロープネット（７）と四方には鉄枠（１）に結びつける固定用ロープ（８）を設けて鉄枠（１）のロープフック（２）に結びつけた種苗用マニラロープネット（７）である。
【００１３】
図６で示すネズミ返し（９）は海中でキタムラサキウニ、アワビなどが種苗用マニラロープネット（７）の昆布育成用苗の育成を妨害防止するために取り付ける。ネズミ返し（９）はワイヤ（１２）に取り付け固定させるためにネズミ返し水平保持軸（１０）を設け、さらにネズミ返し固定ネジ（１１）を取り付けて固定する。
【００１４】
図７で示すワイヤクリップ（１３）はワイヤ（１２）の鉄枠（１）に設けたワイヤフック（４）とコンクリートブロックの吊りフック（１６）に引っかけ固定し縛り付けるワイヤクリップ（１３）である。
【００１５】
図８、図９は鉄枠（１）を海中で浮上させるためフロート（１４）をフロート固定ロープ（１５）で結びつけ鉄枠（１）に結びつけることで海中で種苗用マニラロープネット（７）を浮上させることで効果が生まれる。鉄枠（１）をコンクリートブロックに設けた吊りフック（１６）に固定するワイヤ（１２）の中間にネズミ返し（９）を設け、上下はワイヤクリップ（１３）でワイヤ（１２）を固定する。
【００１６】
図１０，図１１は鉄枠（１）に設けたロープフック（２）、さらに四方上面にフロートフック（３）、下方にワイヤフック（４）を設け上部にフロート（１４）、下方にワイヤ（１２）、中間にネズミ返し（９）を組み込みコンクリートブロックの吊りフック（１６）に連結させる。
【００１７】
図１２は種苗用マニラロープネット（７）を取り付ける。コンクリートブロック昆布養殖魚礁である。図１３で示すとおり種苗用マニラロープネット（７）を設けた鉄枠（１）をコンクリートブロックの吊りフック（１６）にワイヤ（１２）で固定させて双方一体となっている昆布養殖魚礁である。
【００１８】
【発明の効果】
本発明は以上の説明でしたように構成されているので以下記載されているような効果がみられる。
１．磯焼現象による沿岸海中などの被害を防止するためコンクリートブロックに固定されている火成岩（硅素６６％を有する岩石で通称酸性岩という）を活用する。磯焼した海中の昆布林の繁殖によってウニ、アワビなどの繁殖も手伝うものである。
２．海中内が磯焼現象のため海草類が激減してウニ、アワビの繁殖の妨害防止となっている。ウニ、アワビの飼料となる昆布の育成も少なく毎年減少していくのみである。コンクリートブロックに固定した種苗用マニラロープネット（７）を海中に投入することでウニ、アワビの繁殖を助けるという効果を上げることが出来る。
３．海中においてウニ、アワビの成育を助けるため昆布林の繁殖が必要である。昆布の種苗の繁殖を助けるためには育成床が必要である。種苗用ロープネット（７）をコンクリートブロック吊りフック（１６）に取り付ける。育成床として必要な種苗用ロープネット（７）に種苗糸を結びつける。昆布種苗の育成を助ける事でウニ、アワビの繁殖効果を上げることが出来る。
４．種苗用マニラロープネット（７）を取り付けた鉄枠（１）にフロート（１４）を取り付け種苗用マニラロープネット（７）を取り付けた鉄枠（１）を海中内で浮上させることで昆布の育成苗に日光が当たる。日光が当たることで昆布育成苗の成長と昆布林の繁殖の効果を保つという一石二鳥の効果を上げることが出来る。
【００１９】
【図面の簡単な説明】
【図１】本発明の基礎である鉄枠（１）に取り付けた種苗用マニラロープネット（７）を組み合わせてコンクリートブロック吊りフック（１６）に取り付けた全体を示す斜視図である。
【図２】本発明の基礎である鉄枠（１）にロープフック（２）フロートフック（３）を取り付けた平面図である。
【図３】鉄枠（１）の上面、さらに下方面四隅にワイヤフック（４）を設けた斜視図である。
【図４】育成床となる種苗用マニラロープネット（７）であり外周には外枠用ロープ（６）で固定し四方面には固定用ロープ（８）を結びつけた平面図である。
【図５】本発明の種苗用マニラロープネット（７）を鉄枠（１）に結びつけた斜視図である。
【図６】本発明に欠かすことの出来ないネズミ返し（９）であり下方にはワイヤ（１２）に固定させるためネズミ返し水平保持軸（１０）とさらにネズミ返し固定ネジ（１１）の斜視図である。
【図７】コンクリートブロックに固定するワイヤ（１２）をさらに固定するワイヤクリップ（１３）の斜視図である。
【図８】本発明中、種苗用ロープネット（７）を海中で浮上させるフロート（１４）とフロート固定ロープ（１５）で結びつけた図である。
【図９】ワイヤ（１２）にネズミ返し（９）を通し、ネズミ返し（９）を固定しワイヤ（１２）をワイヤクリップ（１３）で固定した図である。
【図１０】鉄枠（１）にフロート（１４）とワイヤ（１２）、さらにネズミ返し（９）を設け、ワイヤクリップ（１３）で固定した図である。
【図１１】鉄枠（１）にフロート（１４）とワイヤ（１２）、さらにネズミ返し（９）を設け、ワイヤクリップ（１３）で固定した図である。
【図１２】コンクリートブロックに設けた吊りフック（１６）の状況斜視図である。
【図１３】本発明を組み立てたものを海中に沈めて使用する完成図である。
【符号の説明】
１　　鉄枠
２　　ロープフック
３　　フロートフック
４　　ワイヤフック
５　　種苗用マニラロープ
６　　外枠用ロープ
７　　種苗用マニラロープネット
８　　固定用ロープ
９　　ネズミ返し
１０　　ネズミ返し水平保持軸
１１　　ネズミ返し固定ネジ
１２　　ワイヤ
１３　　ワイヤクリップ
１４　　フロート
１５　　フロート固定ロープ
１６　　吊りフック
【図１】
2004008066.tif 000003
【図２】
2004008066.tif 000004
【図３】
2004008066.tif 000005
【図４】
2004008066.tif 000006
【図５】
2004008066.tif 000007
【図６】
2004008066.tif 000008
【図７】
2004008066.tif 000009
【図８】
2004008066.tif 000010
【図９】
2004008066.tif 000011
【図１０】
2004008066.tif 000012
【図１１】
2004008066.tif 000013
【図１２】
2004008066.tif 000014
【図１３】
2004008066.tif 000015